(57)【要約】紙を分配する装置。この装置により、既存壁装着式装置に変更を加えることなく、既存壁装着式ディスペンサーを使用することができる。装置は独立型または可搬型のいずれにすることもできる。装置はロール形状またはシート形状の紙を収納する。装置は、ユーザーが望む場合は、任意選択的に紙を湿らせる、且つ／またはクレンジング剤を紙に塗布することができる、湿潤及び／またはクレンジングのための自動化システムもまた含む。湿潤剤及び／またはクレンジング剤の適用程度（すなわち、使用量）はユーザーが調整してもよい。
2004522474.tif 000002
【特許請求の範囲】
【請求項１】
使い捨て紙製品を分配する装置であって、前記装置が、
アダプターを含み、該アダプターが全て互いに結合されている上部壁、底部壁、前部壁、及び後部壁からなり、該上部壁と該底部壁がそれぞれに取り付け手段を有し、これによって該上部壁取り付け手段が第一ディスペンサーに取り付けでき、また該底部壁取り付け手段が第二ディスペンサーに取り付けできることを特徴とする分配装置。
【請求項２】
スリーブを具備し、ここで該スリーブがスピンドルを保持することができ、好ましくは該スリーブが円筒形である、請求項１に記載の装置。
【請求項３】
使い捨て紙製品を分配する装置であって、前記装置が、
アダプターを含み、該アダプターが全て互いに結合されている上部壁、底部壁、前部壁、及び後部壁からなり、それらによってスリープを形成し、該スリーブ、該上部壁及び該底部壁がそれぞれに取り付け手段を含むことにより、前記上部壁を第一ディスペンサーに取り外し自在に取り付け、かつ前記底部壁を第二ディスペンサーに、取り外し自在に取り付けでき、また、ここで、前記第一ディスペンサーまたは前記第二ディスペンサーが、使い捨て紙製品ディスペンサー、クレンザー・ディスペンサー、またはその組み合わせのディサペンサーであることを特徴とする分配装置。
【請求項４】
前記第一ディスペンサーまたは前記第二ディスペンサーがクレンザー・ディスペンサーであり、前記クレンザー・ディスペンサーが自動化された接触不要式のディスペンサーである、請求項３に記載の装置。
【請求項５】
前記上部壁取り付け手段及び前記底部壁取り付け手段がスロットを含むことにより、前記第一ディスペンサーが底部ベースを含むと共に前記第二ディスペンサーが上部ベースを含み、これらによって前記第一ディスペンサーの前記底部ベースと前記第二ディスペンサーの前記上部ベースが突出部を含み、前記第一ディスペンサーの前記突出部が前記アダプターの前記上部壁の前記スロットに取り外し自在に結合されていると共に、前記第二ディスペンサーの前記上部ベースの前記突出部が前記アダプターの前記底部壁の前記スロットに取り外し自在に結合されている、請求項２に記載の装置。
【請求項６】
分配装置であって、前記分配装置が、アダプターを含み、前記アダプターが第一ディスペンサーに取り付けるための第一取り付け手段と、第二ディスペンサーに取り付けるための第二取り付け手段とを含み、ここで前記第一取り付け手段が固定取り付け手段または取り外し自在な取り付け手段を有すると共に前記第二取り付け手段が、固定取り付け手段または取り外し自在な取り付け手段を有することが好ましい、ことを特徴とする分配装置。
【請求項７】
前記第一ディスペンサーが、ティッシュ・ディスペンサー、クレンザー・ディスペンサー、またはそれらの組み合わせであり、且つ前記第二ディスペンサーがティッシュ・ディスペンサー、クレンザー・ディスペンサー、またはそれらの組み合わせであり、好ましくは、前記第一ティッシュ・ディスペンサーまたは前記第二ディスペンサーが、トイレット・ペーパー、フェイシャル・ティッシュ、ウェット・ワイパー、ペーパー・タオル、またはこれらの組み合わせを分配するティッシュ・ディスペンサーである、請求項６に記載の分配装置。
【請求項８】
前記ティッシュがロール、非連続シート、またはこれらの組み合わせから分配される、請求項７に記載の分配装置。
【請求項９】
前記分配装置が、独立型装置、可搬型装置である、または既存ロール・ホルダーに取り付けられる、請求項６に記載の分配装置。
【請求項１０】
前記第一ディスペンサーまたは前記第二ディスペンサーが、接触不要式クレンザー・ディスペンサーである、請求項８に記載の分配装置。
【発明の詳細な説明】
【０００１】
（発明の分野）
本発明は紙を分配する装置に関する。本発明は、ティッシュ及びタオルなどの使い捨て紙製品の分配に特に有用である。
【０００２】
（発明の背景）
１９９０年２月２０日にミッシェル（Ｍｉｔｃｈｅｌｌ）に発行された米国特許第４，９０１，８８９号は、ティッシュ・ロールをホルダーに回転可能に搭載し、流動可能な物質を分配する装置を教示するとしている。
【０００３】
１９９７年１２月１６日にオグデン（Ｏｇｄｅｎ）に発行された米国特許第５，６９７，５７７号は、洗浄可能な、予め湿らせたティッシュ・ペーパーのロールを分配する装置を教示するとしている。
【０００４】
１９９９年３月３０日にアイグブ（Ａｙｉｇｂｅ）に発行された米国特許第５，８８７，７５９号は、中央部と末端部が相互に流体のリザーバの役割をするＨ形構造からなる流体ディスペンサーを教示するとしている。ディスペンサーは１つのトイレット・ティッシュのロールに適合し、その中央部が、トイレット・ティッシュのシート上に細かい霧状のスプレイを目的とするスプレイポンプを含む。
【０００５】
これらの教示の欠点は、ユーザーによるティッシュの湿潤程度の調整手段がないことである。さらには、ユーザーはロール形状のティッシュしか使用できない。またさらに、従来技術のディスペンサーは既存ロール・ホルダーに簡単に取り付けることができず、取り付けのために別途金具類を必要とする。その上、先行技術のディスペンサーでは、ユーザーがティッシュを湿らせるために直接ディスペンサーに触れる必要がある。
【０００６】
本発明の利点には、分配装置を異なる分配モードに容易に適応させる機能（すなわち、装置は既存ロール・ホルダーに容易に取り付けられるので、独立型ディスペンサーとして使用でき、または可搬型ディスペンサーとして使用することができる）が含まれる。このように、本ディスペンサーは既存ロール・ホルダーに容易に取り付けたり、取り外したりすることができ、この目的のための別途金具類を必要としない。さらに、このような湿潤及び／またはクレンジングシステムなどの構成部品は、容易に本発明のディスペンサーに適合するように構成することができる。
【０００７】
本発明のさらなる利点には、ユーザーに対する簡便性と調整機能の強化が含まれる。ユーザーは、ティッシュを乾燥させたままで使用するか、湿らせて使用するかを調整する。ユーザーは、どの程度ティッシュを湿らせるかも調整する。さらには、ユーザーがティッシュを湿らせることを選択した場合、本発明のディスペンサーを使用してティッシュの湿潤過程を自動化することができる。またさらには、本発明では広範に多様なタイプの湿潤剤／クレンジング剤を使用でき、また、本発明は基材に適用される形態（すなわち、泡、霧、スプレイ等）を提供する。さらにその上、ユーザーの好みに基づいて、ティッシュはロール形状、または非連続シート形状で分配することができる。
【０００８】
なおその上に、分配装置は、金具類、配管工事、または外部動力源を追加することなく、既存ロール・ホルダーに取り付けることができる。従って、この装置は、既存壁装着式装置に何らかの変更を行うことなく使用することができる。本装置はロール形状またはシート形状の紙を収容する。標準サイズのロール・ペーパー、及び（例えば、トイレット・ティッシュ、ペーパー・タオル等の特大のロール等）特大サイズのロール形状の紙を使用することができる。
【０００９】
分配装置は、ユーザーが望むならば、ディスペンサーに接触することなく、ユーザーが任意選択的にクレンジング剤を紙に適用することができる湿潤及び／またはクレンジングのための自動化（すなわち、「触接不要式」）システムを具備する。塗布されるクレンジング剤の量をユーザーが調整してもよい。
【００１０】
（発明の概要）
本発明は、使い捨て紙製品を分配する装置に関する。この装置はアダプターを具備する。アダプターは、全て互いに結合されている上部壁、底部壁、前部壁、後部壁を含む。上部壁及び底部壁の双方がそれぞれ取り付け手段を有し、これによってアダプターの上部壁が第一ディスペンサーに取り付けでき、またアダプターの底部壁が第二ディスペンサーに取り付けできる。
【００１１】
アダプターは、アダプターの各壁により形成されるスリーブを具備してもよい。スリーブは、ティッシュ・ロール・ホルダー・スピンドルを収容することができる。アダプターは、第一ディスペンサー及び第二ディスペンサーの双方に取り外し自在に取り付け可能であってもよい。好ましくは、アダプターの上部壁取り付け手段及び底部壁取り付け手段がスロットを含むと共に、第一ディスペンサーの底部ベースと第二ディスペンサーの上部ベースが突出部を含み、ここで第一ディスペンサーの突出部がアダプターの上部壁のスロットに取り外し自在に結合されていると共に、第二ディスペンサーの突出部がアダプターの底部壁のスロットに取り外し自在に結合されている。
【００１２】
第一ディスペンサーは、使い捨て紙製品ディスペンサー、クレンザー・ディスペンサー、またはこれら両方の組み合わせであってもよい。同様に、第二ディスペンサーも、使い捨て紙製品ディスペンサー、クレンザー・ディスペンサー、またはこれら両方の組み合わせであってもよい。
【００１３】
クレンザー・ディスペンサーは、ユーザーがディスペンサーに接触することなく作動できる自動化されたディスペンサーであることが好ましい。
【００１４】
（詳細な説明）
本発明は、トイレット・ペーパー、フェイシャル・ティッシュ、拭き取り用品、及びペーパー・タオルなどの使い捨て紙製品を含むが、これらに限定されないティッシュに使用される分配装置に関する。ティッシュは湿らせてもよく、且つ／または、ユーザーが望む場合は洗浄し易くするためにユーザーがクレンジング剤を塗布してもよい。
【００１５】
分配装置は独立型の分配装置であってもよく、または確実にしかも十分固定された位置で既存ティッシュ・ロール・ホルダーに取り付けられてもよい。次に、ティッシュ・ロール・ホルダーは、接着剤等を必要とすることなく壁またはその他の堅固な取り付け面に取り付けられる。「接着剤」という用語は、本明細書では、糊、デンプンペースト、ゴム糊、ゴムラテックス、合成樹脂組成物、セメント、接着テープなどの、２つの材料の各表面に接着することによってこれらを互いに固着する物質を指す。
【００１６】
ペーパー・タオル及びトイレット・ティッシュ・ロール・ホルダーなどのティッシュ・ロール・ホルダーは、しばしば浴室壁から突出しているか、または壁内の凹所に設けられるので、このようなホルダーに広範囲に取り付け可能であれば、分配装置の用途はさらに広がる。「通常の壁装着式トイレット・ティッシュ・ロール・ホルダー」、「トイレット・ティッシュ・ロール・ホルダー」、「ティッシュ・ロール・ホルダー」または単に「ホルダー」という用語は、本明細書では、相互に置き換えて使用でき、壁から突出しているホルダーであるか、壁内の凹所に設けられているかにかかわらず、トイレット・ペーパー、ペーパー・タオル、または類似素材のロール用の従来のホルダーを指す。
【００１７】
本発明の装置での使用に好適なティッシュには、本発明の譲受人に譲渡されている、１９６７年１月３１日にサンフォード（Ｓａｎｆｏｒｄ）らに付与された米国特許第３，３０１，７４６号、１９６９年１０月２１日にアムニウス（Ａｍｎｅｕｓ）に発行された米国特許第３，４７３，５７６号、１９７１年３月３０日にフライドバーグ（Ｆｒｉｅｄｂｅｒｇ）らに発行された米国特許第３，５７３，１６４号、１９７４年５月２１日にサルブッチ（Ｓａｌｖｕｃｃｉ）らに発行された米国特許第３，８１２，０００号、１９７４年６月２８日にショー（Ｓｈａｗ）に発行された米国特許第３，８２１，０６８号、１９７６年８月１０日にエイアース（Ａｙｅｒｓ）に発行された米国特許第３，９７４，０２５号、１９８０年３月４日にトロクハン（Ｔｒｏｋｈａｎ）に発行された米国特許第４，１９１，６０９号、１９８０年６月１７日にベッカー（Ｂｅｃｋｅｒ）らに発行された米国特許第４，２０８，４５９号、１９８０年１２月１６日にトロクハン（Ｔｒｏｋｈａｎ）に発行された米国特許第４，２３９，０６５号、１９８５年７月９日にトロクハン（Ｔｒｏｋｈａｎ）に発行された米国特許第４，５２８，２３９号、１９８５年７月１６日にトロクハン（Ｔｒｏｋｈａｎ）に発行された米国特許第４，５２９，４８０号、１９８７年１月２０日にトロクハン（Ｔｒｏｋｈａｎ）に発行された米国特許第４，６３７，８５９号、１９９４年１１月１５日にスマルコウスキー（Ｓｍｕｒｋｏｗｓｋｉ）らに発行された米国特許第５，３６４，５０４号、及び１９９６年６月２５日にトロクハン（Ｔｒｏｋｈａｎ）らに発行された米国特許第５，５２９，６６４号、１９９８年３月１２日にクロフタ（Ｋｌｏｆｔａ）らの名前で申請された米国特許出願第０９／０４１，２３１号に従って製造されたティッシュが含まれるが、これらに限定されるものではなく、これらの開示を参考として本明細書に組み込む。
【００１８】
本発明の装置に使用するティッシュは、湿潤強度作用剤、一時湿潤強度作用剤、乾燥強度向上剤、及び柔軟化剤などの添加剤を含んでもよいが、これらの添加剤に限定されない。
【００１９】
本発明の装置で使用するティッシュは、トイレット・ペーパー、ペーパー・タオル等のようなロールから分配してもよい。ティッシュは、本発明の譲受人に譲渡されている、１９８６年１１月１８日にディアウェスター（Ｄｅａｒｗｅｓｔｅｒ）に発行された米国特許第４，６２３，０７４号、１９９４年７月２６日にミューケンフス（Ｍｕｃｋｅｎｆｕｈｓ）に発行された米国特許第５，３３２，１１８号、１９９５年１月１０日にミューケンフス（Ｍｕｃｋｅｎｆｕｈｓ）らに発行された米国特許第５，３７９，８９７号、１９９６年５月１４日にミューケンフス（Ｍｕｃｋｅｎｆｕｈｓ）らに発行された米国特許第５，５１６，００１号、１９９６年５月２８日にバーグジュニア（Ｂｅｒｇ， Ｊｒ．）らに発行された米国特許第５，５２０，３０８号、２０００年５月９日にスタインハート（Ｓｔｅｉｎｈａｒｄｔ）らに発行された米国特許第６，０５９，８８２号、に記載されたフェイシャル・ティッシュ、トイレット・ティッシュなどの非連続シートで分配されてもよく、これらの開示を参考として本明細書に組み込む。
【００２０】
次に詳細に描かれた図面を参照すると、番号は全ての図にわたって同じ要素を指す。図１は本発明の実施形態の透視図を示す。図２の分解透視図に示される図１の分配装置１０はアダプター５０を具備する。分配装置１０は、使い捨て紙製品、クレンザーなどを含むが、これらに限定されない物品を分配する１つ以上のディスペンサーも含んでもよい。
【００２１】
アダプター
図２及び図５に示すように、分配装置１０のアダプター５０は分配キットを形成するように１つ以上のディスペンサーを接続する中央ハブの役割を果たす。アダプター５０により、分配装置１０の全ての構成部品が既存ロール・ホルダーに取り付けられる。別の方法として、分配装置１０は独立型（図示せず）とすることもできる。この分配装置に、例えばハンドル（図示せず）を付加することによって、可搬型装置に変えることもできる。アダプター５０の形状は柔軟に変更でき、凹所のロール・ホルダー並びに壁装着式ロール・ホルダーを含むが、これらに限定されず、多様な既存ティッシュ・ホルダーを収容できるように、多くの異なる形態で使用することができる。ユーザーは、アダプター５０を特定の既存ロール・ホルダーの収容に適した特定位置まで回転させるだけである。例えば、アダプター５０は、図２に示された位置から図２Ａに示された位置まで前後に１８０°回転させることができる。別の非限定的な例として、アダプター５０は図２Ｂに示すように上下に１８０°回転させることができる。
【００２２】
１つの非限定的な実施形態では、アダプター５０は、図１〜図５に示すように、全て互いに結合されている上部壁５５、底部壁５６、後部壁５７、及び前部壁５８からなり、スリーブ６０を形成する。スリーブ６０は、既存ティッシュ・ロール・ホルダーに取り付けるために使用するスピンドル４５を保持することができる。
【００２３】
アダプター５０の上部壁５５及び底部壁５６の両方は、上部壁５５及び／または底部壁５６をそれぞれ別個のディスペンサーに取り付けることができる取り付け手段を具備する。好適な取り付け手段は、分配装置１０の構成部品間に十分に固定されるが、好ましくは、相互に簡単に取り付けたり、取り外したりできるように取り外し自在に取り付けられる固定若しくは堅固な補助取り付け具を含むが、これに限定されない。
【００２４】
個別のディスペンサーは、ディスペンサーの底部及び／または上部をアダプター５０に取り付けることができる取り付け手段を含む。分配装置１０の構成部品は、好ましくは、相互に取り外し自在に取り付けられる。これを達成するための好適な装置は、１９９７年４月８日にディアウェスター（Ｄｅａｒｗｅｓｔｅｒ）らに発行され、本発明の譲受人に譲渡されている米国特許第５，６１８，００８号に記載されている装置のような、当業者には明白な装置を含むが、これらに限定されない。その開示は参考として本明細書に組み込む。好ましい取り付け手段は、対向する突出部とスロットを含む。
【００２５】
図１及び図５に示す実施形態において、分配装置１０は、第一ディスペンサー８０及び第二ディスペンサー９０を含む。第一ディスペンサー８０及び第二ディスペンサー９０の双方は、取り付け手段によりアダプター５０に取り付けられる。例えば、第一ディスペンサー８０は突出部８５を含む底部ベース８１を有する。第一ディスペンサー８０の底部ベース８１の突出部８５は、アダプター５０の上部壁５５のスロット６６に接続している。第二ディスペンサー９０は、アダプター５０の底部壁５６のスロット６７に接続する突出部９５を含む上部ベース９１を有する。
【００２６】
第一ディスペンサー８０、第二ディスペンサー９０、またはその両方は、クレンザー、使い捨て紙製品、またはこれらの組み合わせを含むがこれらに限定されない物品などを分配する目的で使用してもよい。
【００２７】
クレンザー・ディスペンサー
本発明のクレンザー・ディスペンサーは、水、石鹸等、及びこれらの混合物を含むが、これらに限定されないあらゆる種類のクレンジング剤を分配することができる。クレンザーは、流体、乳濁液、固体、半固体、粉、泡等、及びこれらの混合物を含むが、これらに限定されないあらゆる形態で分配できる。
【００２８】
１つのタイプのクレンザー・ディスペンサーが２０００年５月９日にスタインハート（Ｓｔｅｉｎｈａｒｄｔ）らに発行された米国特許第６，０５９，８８２号に開示され、その開示を参考として本明細書に組み込む。図１〜図５に示す実施形態において、本発明で使用するための好ましいクレンザー・ディスペンサー１００は、ユーザーがディスペンサー作動のためにディスペンサーに触れなくても済む自動化された触接不要式クレンザー・ディスペンサー１００である。
【００２９】
好適な自動化された触接不要式クレンザー・ディスペンサー１００は、クレンザーを十分に保持できるボトル１２０を備える。ボトル１２０は、ボトル１２０からユーザーにクレンザーを放出するための開口部１５０を含む。ボトル１２０は、任意選択的なフィルキャップ及び任意選択的なベント（図示せず）も具備する。
【００３０】
図２において、ボトル１２０はポンプ１４０を含む。ポンプは、ポンプ筐体１４５内に任意選択的に収容されてもよい。ポンプ１４０は、クレンジング剤をボトル１２０からユーザーに移送するために使用する。この目的のための好適なポンプには、ギアポンプ、遠心ポンプ、ダイアフラムポンプが含まれるが、これらに限定されない。１つの好適なポンプは、ニュージャージー州、トレントンのＫＮＦニューバーガーインコーポレーテッド（ＫＮＦ Ｎｅｕｂｅｒｇｅｒ Ｉｎｃｏｒｐｏｒａｔｅｄ）製造のダイアフラムポンプのモデルＮＦ１０ＫＰＤＣであり、これは、最大流量が約１００ｍｌ／分で、最高圧力が約１０３ｋＰａである。
【００３１】
クレンザー・ディスペンサー１００は動力源を含む。好適な動力源は、電気電力、水力、太陽エネルギー、及び好ましくは電池電力を含むが、これらに限定されない。この目的のための好適な電池は、６ボルトの電源電圧を供給するＡＡサイズ（すなわち、ＡＮＳＩ／ＮＥＤＡでは１５Ａ型、ＩＥＣではＬＲ６型）の４つのアルカリ電池を含む。調整システムとモーターが適切に調和するのであれば、その他の電池の組み合わせ及び電圧を使用することもできる。
【００３２】
クレンザー・ディスペンサー１００は接触不要式自動分配用の調整システムを具備する。１つの好適な調整システムは、次の構成部品、すなわち、赤外線を放射する赤外光源と、赤外線センサーなどの、しかしこれに限定されない赤外光源から放射された赤外光を検出する手段と、ポンプ１４０に内蔵されたモーターを作動させて、流体及び／または空気の流れを発生させる手段と、流体及び／または空気が予め定められた時間流れるように前述のポンプモーターの作動を計時する手段、とを含む。調整システムの他の構成部品は、ユーザーが流体及び／または空気が流れる時間を調整する手段と、ユーザーに電池の寿命が終わりに近づいたことを指示する手段と、ユーザーにポンプが作動していることを指示する手段と、赤外線センサーを経由してクレンザー・ディスペンサー１００の操作を禁止する手段（例えば、「オフ」スイッチ）、とを任意選択的に含む。
【００３３】
クレンザー・ディスペンサー１００で使用可能な好適なクレンザーは、水、石鹸、ローション、加湿剤、消毒剤等、及び本発明の譲受人に譲渡されている、１９９４年７月２６日にミューケンフス（Ｍｕｃｋｅｎｆｕｈｓ）に発行された米国特許第５，３３２，１１８号及び１９９６月１１月１１日にワーナー（Ｗａｒｎｅｒ）らに発行された米国特許第５，５２５，３４５号に開示されているものなどのように個人的なクレンジング製品を含むが、これらに限定されない。これらの米国特許の開示を参考として本明細書に組み込む。クレンザーは、固体、半固体、粉、流体、泡等の形態としてもよく、同様の形態でクレンザー・ディスペンサー１００から分配してもよい。クレンザー・ディスペンサー１００は、対象物にクレンザーを、スプレイ、霧吹き、噴霧、泡立て、及び含浸することを含むがこれらに限定されないあらゆる方法で、塗布してもよい。
【００３４】
ユーザーは、クレンザー分配センサー１１０の近傍にある１枚のティッシュなどの対象物を配置することによってクレンザー・ディスペンサー１００を作動させる。赤外線センサーなどのセンサー１１０は、対象物の存在を検知し、次にボトル１２０からクレンザーを取り出すポンプ１４０を起動し、それを開口部１５０を経由してティッシュに放出する。１回の分配サイクル中に分配されるクレンザーの量は、ディスペンサーに予めプログラムしておくことも、またはユーザーが直接調整することもできる。
【００３５】
ティッシュ・ディスペンサー
好適なティッシュ・ディスペンサーが、２０００年５月９日にスタインハート（Ｓｔｅｉｎｈａｒｄｔ）らに発行された米国特許第６，０５９，８８２号に開示されており、その開示を参考として本明細書に組み込む。本発明に拠るティッシュ・ディスペンサーの一実施形態を図１〜図３に示す。本発明に拠るティッシュ・ディスペンサーの第二の実施形態を図４及び図５に示す。
【００３６】
図１〜図５において、ティッシュ・ディスペンサー２００はロール形状またはシート形状の紙を収容する。標準サイズのロール形状の紙及び（例えば、トイレット・ティッシュ、ペーパー・タオル等の特大ロール等）特大サイズのロール形状の紙も使用することができる。
【００３７】
図１〜図３に示す本発明の一実施形態においては、ティッシュ・ディスペンサー２００は底部ベース８１を備える。底部ベース８１の長手方向端部はそれぞれ側壁２１６によって画定される。
【００３８】
底部ベース８１の側壁２１６はティッシュ・ロール７０に取り付けてもよい。底部ベース８１の側壁２１６は取り外し不能に取り付けてもよいし、取り外し可能に取り付けてもよい。図１〜図３において、側壁２１６は底部ベース８１から上方向に延びてもよい。所望に応じて、底部ベースから下方向に伸びてもよく、底部ベース８１に対して垂直に延びてもよい。底部ベース８１から上方向、下方向、若しくは垂直に延びる側壁２１６に代えて、底部ベース８１に対して上方向、下方向、若しくは垂直に延びる個別のサイドアーム（図示せず）をそれぞれ側壁２１６に取り付けることも可能であることは当業者には明白であろう。
【００３９】
側壁２１６は定位置に固定してもよく、底部ベース８１の周りで回転可能であってもよい。
【００４０】
図２において、それぞれの側壁２１６は、ティッシュ７０の少なくとも１つのロールを受容するための係合部材２２３を含む。「係合部材」２２３は、本明細書では、ティッシュ７０のロール若しくはティッシュ７０の非連続シートを収容または保持するあらゆる装置を指す。ティッシュ７０のロールを収容するために、係合部材２２３を対向するスロットまたは穴（図示せず）とすることができる。それぞれの穴は、その上にティッシュ７０の１つのロールを配置するスピンドルを受容するように構成されている。係合部材２２３は、図２に示すように、共通して延びる突出部２２４も含む。共通して延びる突出部２２４は、好ましくは相互に向かって突出し、相互に接触してもよく、接触しなくてもよい。それぞれの共通して延びる突出部２２４はトイレット・ティッシュ７０のロールを受容するように構成されている。係合部材２２３は、１９９７年４月８日にディアウェスター（Ｄｅａｒｗｅｓｔｅｒ）らに発行され、本明細書に参考として組み込まれている米国特許第５，６１８，００８号に記載されているものを含み、当業者には明白なその他の好適な装置を含む。
【００４１】
図４〜図５に示す本発明の別の実施形態において、ティッシュ・ディスペンサー２００は、すべてが互いに結合されている上部壁４１３、底部壁、前部壁、後部壁、及び対向する側壁４１６からなり、互いにそれらによってケーシング５１１を形成する。
【００４２】
それぞれの側壁４１６は、ティッシュ７０の非連続シート、またはティッシュの少なくとも１つのロールを受容するための係合部材（図示せず）も含む。ティッシュ７０のロールを分配するために係合部材を、対向するスロット、突出部、または穴（図示せず）とすることができ、ここで、それぞれの穴は、その上にティッシュ７０の１つのロールを配置するスピンドルを受容するように適合する。ティッシュ７０の非連続シートを分配するために、係合部材は、棚（図示せず）または当業者には周知のティッシュ７０の非連続シートを収容するためのその他の好適な手段、とすることができる。
【００４３】
別の方法として、係合部材を、ティッシュ７０の非連続シートを収容するために有用な図４及び図５に示されるようなエンクロージャ５２２とすることもできる。ティッシュ７０の非連続シートの非制限的例としては、フェイシャル・ティッシュ、トイレット・ティッシュ、ペーパー・タオル、及び拭き取り用品を含む。
【００４４】
前部壁（若しくはその他の壁）は、ヒンジで取り付けた壁が開いてエンクロージャ５２２の内部に到達できるようにヒンジまたは類似の装置でエンクロージャ５２２に取り付けてもよい。エンクロージャ５２２は、分配開口部５２１を介してユーザーがティッシュ７０のシートを引き出せるように、好ましくはエンクロージャ５２２の底部に配置された分配開口部５２１も含む。本明細書に図示されているタイプの係合部材２２３に加えて、その他の装置も好適な係合部材２２３として使用できることは当業者には明らかであろう。
【００４５】
本発明の特定の実施形態について図示し且つ説明してきたが、本発明の主旨及び範囲を逸脱せず、様々な変更及び修正を行ってもよいことは当業者には明白であろう。
【図面の簡単な説明】
【図１】本発明に拠る分配装置の一実施形態の透視図である。
【図２】図１の分配装置の分解透視図である。
【図２Ａ】前後に１８０°回転させた図２のアダプターを示す透視図である。
【図２Ｂ】上下に１８０°回転させた図２のアダプターを示す透視図である。
【図３】図１の分配装置を示す立面図である。
【図４】本発明に拠る分配装置の別の実施形態に拠る透視図である。
【図５】図４の分配装置を示す立面図である。
【国際公開パンフレット】
2004522474.tif 000003
2004522474.tif 000004
2004522474.tif 000005
2004522474.tif 000006
2004522474.tif 000007
2004522474.tif 000008
2004522474.tif 000009
2004522474.tif 000010
2004522474.tif 000011
2004522474.tif 000012
2004522474.tif 000013
2004522474.tif 000014
2004522474.tif 000015
2004522474.tif 000016
2004522474.tif 000017
2004522474.tif 000018
2004522474.tif 000019
2004522474.tif 000020
2004522474.tif 000021
2004522474.tif 000022
2004522474.tif 000023
【国際調査報告】
2004522474.tif 000024
2004522474.tif 000025